(57)【要約】【課題】心出し用ゴム１８を無くしてライナ２０の正確な心出しを行ない得るようにする。【解決手段】受口１１ａの内部に挿し口１３ａを挿入して接合し、その挿し口１３ａの先端と受口の内面奥壁１１ｂとの間に装填されたライナ２０を備えた剛構造管継手である。そのライナ２０は受口の内面奥壁側の端面にその奥壁１１ｂより奥の直管状内周面１１ｃに至る円筒状心出しガイド２２を有する。ライナ２０を受口１１ａ内面に装填すれば、そのガイド２２が受口内面奥壁より奥の直管状内周面１１ｃに嵌って心出しを行なう。このため、心出し用ゴムが不要となり、また、ライナ２０の装填と同時にその心出しが行なわれるため、その装填作業が極めて容易であるとともに、心出しも確実である。【選択図】図１
2015021606.tif 000002
【特許請求の範囲】
【請求項１】
受口（１１ａ）内に挿し口（１３ａ）を挿入して接合し、その挿し口（１３ａ）の先端と前記受口（１１ａ）の内面奥壁（１１ｂ）との間に装填したライナ（２０）を備えた管継手であって、前記ライナ（２０）は、前記挿し口先端と受口内面奥壁との間に装填されるライナ本体（２１）の前記受口（１１ａ）の内面奥壁側の端部に、前記受口（１１ａ）の内面奥壁（１１ｂ）より奥の直管状内周面（１１ｃ）に至ってその内周面（１１ｃ）全周に嵌る心出しガイド（２２）を設けたものであることを特徴とする管継手。
【請求項２】
上記ライナ本体（２１）の前記受口（１１ａ）の内面奥壁側の端面と上記受口（１１ａ）の内面奥壁（１１ｂ）との間に緩衝材（２３）を設けたことを特徴とする請求項１に記載の管継手。
【請求項３】
上記ガイド（２２）は、周方向に分割されたガイド片（２２ａ）からなることを特徴とする請求項１又は２に記載の管継手。
【請求項４】
請求項１乃至３の何れか一つに記載の管継手に使用される上記ガイド（２２）を設けたライナ。
【発明の詳細な説明】
【技術分野】
【０００１】
この発明は、受口に対して挿し口がその軸方向に伸縮する管路における剛構造管継手、及びその管継手に使用するライナに関する。
【背景技術】
【０００２】
上水道等の管路は、一の管の受口に他の管の挿し口を挿入した管継手を管路方向に順々に構成して施設され、一般に、その管継手の伸縮と屈曲（受口に対する挿し口の抜き差しと屈曲）によってある程度の地震や地盤沈下などに順応する柔構造とされている。近年、この柔構造管路において、さらなる柔構造をなすものとして、さらに大きな伸縮余裕代と離脱防止機能（抜け止め機能）を管継手に付与した鎖構造が採用される。この鎖構造の管路は、大きな地盤変動に対して、ちょうど地中に埋没された鎖のように継手が伸縮・屈曲しながら追従し、さらに限界まで伸び出した後は、離脱防止構造によって管路を維持する。
【０００３】
その離脱防止及び伸縮機能を有する継手として、例えば、図６に示す継手がある。この継手は、一の管１１の受口１１ａ内面に一ツ割開き勝手のロックリング１２を装填した後、その受口１１ａ内に、他の管１３の挿し口１３ａをその先端外周の突起１４によってロックリング１２を押し広げて挿し込み、さらに、シール用ゴム輪１５を受口１１ａと挿し口１３ａの間に介在し、そのゴム輪１５を押し輪１６でもって押し込み、その押し込みは、押し輪１６と受口１１ａのフランジ間に挿通したＴ字ボルト・ナット１７の締め付けによって行う構成である（特許文献１、段落０００４、図１１参照）。
また、同様な離脱防止及び伸縮機能を有する継手としては、ＮＳ形継手（特許文献１、図１２参照）、ＳＩＩ形継手、Ｓ形継手等がある。
【０００４】
これらの受口１１ａに対し挿し口１３ａが抜き挿し（伸縮）する管継手は、その伸縮性により、小さな地盤変動に対応して管路を確保する。特に、図６記載の継手、ＮＳ形継手、ＳＩＩ形継手、Ｓ形継手は、地震発生時や不同沈下時などの地盤変動に対して、その伸縮機構、屈曲機構により、管や継手部に大きな応力が生じること無く、管路が地盤変動に順応するとともに、抜け出しを防止する。
【先行技術文献】
【特許文献】
【０００５】
【特許文献１】特開２００２−１５６０７９号公報
【０００６】
このような伸縮機能を有する管継手でもって構成した管路において、曲管等の異形管両端はその管軸方向が互いに異なることとなる。このため、例えば、その異形管の一端において、その挿し口を直管の受口に接合して伸縮機能を有する管継手とし、その管継手の挿し口と受口とが管軸方向に伸縮すると、異形管の他端の管継手においてはその管軸方向と異なる方向に移動することとなり、その他方の管継手においては良好な接続状態を維持できない恐れがある。また、挿し口と受口が屈曲した場合（両者の管軸が交差するようになった場合）も、同様の理由から、一端の管継手において屈曲作用が生じると、他端の管継手において良好な接続状態を維持できない恐れがある。
【０００７】
このため、上記Ｓ形管継手等の伸縮機能を有する管継手を曲管等の異形管端に構成した場合は、図６に示すように、受口１１ａ内面に、心出し用ゴム１８を介してライナ１９を設け、このライナ１９により挿し口１３ａの差し込みを阻止するとともに、ロックリング１２に対する突起１４の移動幅を少なくした剛構造管継手としている（特許文献１、図１２参照）。
【０００８】
この剛構造管継手は、図７（ａ）に示すように、受口１１ａの内部に心出し用ゴム１８を装填した後、同図（ｂ）に示すように、その心出し用ゴム１８を介してライナ１９を受口１１ａ内に装填する。このとき、この管継手の伸縮及び屈曲を拘束し、所定の曲げ剛性を担保するために、ライナ１９は、受口１１ａ及び挿し口１３ａと同一軸心とする。このため、図６に示すように、心出し用ゴム１８を受口１１ａ内全周囲の所定位置に設けてその心出しを行うが、ライナ１９を支えるため、受口１１ａ内面下部（管底）には心出し用ゴム１８を設ける必要がある（図８（ｂ）参照）。
【発明の概要】
【発明が解決しようとする課題】
【０００９】
その心出し用ゴム１８は、図８（ｂ）実線で示すように、その弾性からほぼ水平状態となりがちであり、その水平状態の心出し用ゴム１８を介在してライナ１９を装填すると、そのライナ１９の挿入先端が心出し用ゴム１８の端に当接し、そのライナ１９の挿入を心出し用ゴム１８が妨げて、ライナ１９の円滑な装填ができない場合があるとともに、ライナ１９が心出し用ゴム１８の端を乗り越えてもライナ１９の挿入につれて両者１８、１９間の摩擦によって心出し用ゴム１８が押し込まれ、同図（ａ）に示すように、ライナ１９と受口内面の奥壁１１ｂとの間に心出し用ゴム１８の端が食い込む場合がある。
【００１０】
また、図８（ｂ）鎖線で示すように、棒などによって心出し用ゴム１８を円弧状に撓ませて受口１１ａ内面に沿わせた状態で、ライナ１９を挿入しても、心出し用ゴム１８の実線状態への復帰力によってライナ１９との間に大きな摩擦力が生じ、やはり、ライナ１９の挿入につれて心出し用ゴム１８が押し込まれ、同様に、ライナ１９と受口内面の奥壁１１ｂとの間に心出し用ゴム１８の端が食い込む場合がある。
この食い込みが生じると、ライナ１９の正確な心出しが行なわれない恐れがある。また、この食い込みは、受口１１ａの外からは分かりづらく、心ずれが生じた状態で挿し口１３ａが挿入される恐れがある。ライナ１９と受口１１ａ及び挿し口１３ａとの心ずれが生じていると、管継手の所定の曲げ剛性を担保できないこととなる。
【００１１】
この発明は、以上の実状の下、心出し用ゴム１８を無くしてライナの正確な心出しを行ない得るようにすることを課題とする。
【課題を解決するための手段】
【００１２】
上記課題を達成するため、この発明は、ライナ自身に心出し機能を持たせることとしたのである。すなわち、ライナの受口の内面奥壁側の端部にその奥壁より奥の管路内周面に至ってその管路内周面全周に嵌る心出しガイドを設けたのである。
通常、受口の内面奥壁より奥の管路内周面は受口と同一軸心の直管状内周面となっており、そのガイドがその直管状内周面に至り嵌って同一軸心となれば、ライナも同一軸心となってその心出しが行なわれることとなる。
【００１３】
この発明の構成としては、受口内に挿し口を挿入して接合し、その挿し口の先端と受口の内面奥壁との間に装填したライナを備えた管継手において、前記ライナは、挿し口先端と受口内面奥壁との間に装填されるライナ本体の受口の内面奥壁側の端部に、受口の内面奥壁より奥の直管状内周面に至ってその内周面全周に嵌る心出しガイドを設けた構成を採用することができる。
そのガイドは、受口内面奥壁より奥の直管状内周面に至ってその直管状内周面全周に嵌って心出しを行ない得れば何れの形状でも良く、例えば、円筒状としたり、その円筒状において周方向に分割されたガイド片からなるものとしたりすることができる。そのガイド片は、断面円弧状でも、同四角状、同円状でも良く、さらに棒状でも良い。
上記ライナの受口の内面奥壁側の端面と上記受口の内面奥壁との間に緩衝材を設ければ、ライナ装填時、そのライナの挿入端が前記奥壁に当って欠損する等の不具合が生じ難い。
【発明の効果】
【００１４】
この発明は、以上のように、ライナ自身に心出しガイドを設けたので、心出し用ゴムを無くすことができる。また、ライナの装填と同時にその心出しが行なわれるため、その装填作業が極めて容易であるとともに、心出しも確実である。
【図面の簡単な説明】
【００１５】
【図１】この発明に係る管継手の一実施形態の部分切断正面図
【図２】（ａ）は同実施形態の作用説明用断面図、（ｂ）はライナの斜視図
【図３】（ａ）は他の実施形態の作用説明用断面図、（ｂ）はライナの斜視図
【図４】（ａ）、（ｂ）はライナの他の各実施形態の斜視図
【図５】ライナのさらに他の実施形態を示し、（ａ）は斜視図、（ｂ）は切断正面図
【図６】従来の管継手の部分切断正面図
【図７】同従来の管継手の作用説明図であり、（ａ）はライナの装填前の切断正面図、（ｂ）はその装填後の切断正面図
【図８】同従来の管継手の作用説明図であり、（ａ）はライナの装填後の切断正面図、（ｂ）はその装填前の切断側面図
【発明を実施するための形態】
【００１６】
この発明に係る管継手の一実施形態を図１〜図２に示し、この実施形態は図６記載の従来の継手と同様に、一のダクタイル鋳鉄管１１の受口１１ａ内面に一ツ割開き勝手のロックリング１２を設けた後、その受口１１ａ内に、他のダクタイル鋳鉄管１３の挿し口１３ａをその先端外周の突起１４によってロックリング１２を押し広げて挿し込み、さらに、シール用ゴム輪１５を受口１１ａと挿し口１３ａの間に介在し、そのゴム輪１５を押し輪１６でもって押し込み、その押し込みは、押し輪１６と受口１１ａのフランジ間に挿通したＴ字ボルト・ナット１７の締め付けによって行う構成である。
【００１７】
この管継手によって、直管を曲管等の異形管に接続する場合、図１、図２に示すように、この発明に係るライナ２０をその異形管の受口１１ａ内に装填する。
そのライナ２０は、ダクタイル鋳鉄製であって、従来の図７、図８に示すライナ１９と同一形状のライナ本体２１の一方の端部に同一軸心の円筒状心出しガイド２２を一体成形で設けている（有している）。また、ライナ本体２１の受口１１ａの内面奥壁１１ｂ側の端面のガイド２２周りにゴム製の緩衝材２３を設けている。この緩衝材２３は省略できる（図４参照）。ライナ２０及びガイド２２は金型鋳造や円筒状物からの切削加工によって製造する。
【００１８】
このライナ２０の受口１１ａ内への装填は従来と同様にすれば良いが、そのライナ２０の装填時、図２（ａ）に示すように、心出しガイド２２を受口内面奥壁１１ｂより奥の管路内周面１１ｃに差し込んで（嵌めて）至らせる。
このとき、奥の管路内周面１１ｃは受口１１ａと同一軸心の直管状内周面となっているため、そのガイド２２がその直管状内周面１１ｃに嵌って同一軸心となれば、挿し口先端と受口内面奥壁との間に装填されたライナ本体２１も同一軸心となってライナ２０の心出しが行なわれる。また、受口１１ａの内面奥壁１１ｂとの間にゴム製の緩衝材２３が介在（圧接）され、この緩衝材２３によって、そのライナ本体２１の挿入端が奥壁１１ｂに当って欠損する等の不具合が防止される。
【００１９】
ライナ本体２１は、挿し口１３ａと奥壁１１ｂの所定間隔を確保でき、かつ、挿し口１３ａの先端とライナ本体２１の後端が当接すれば（ライナ本体２１の外径が挿し口１３ａの内径より大きく、同内径が同外径より小さければ）、その円筒の内外径（厚み）は任意であり、また、必ずしも円筒形でなくても、例えば、四角筒等の多角筒状とし得る。さらに、図２（ｂ）鎖線で示すように、周囲等間隔にスリット２１ａを有するものとしたり、図３に示すように、ライナ本体２１の両端全周を残してその間の外周面を削ったり（肉抜きして肉厚を薄くしたり）して、軽量化を図ることができる。なお、図２実線で示すライナ本体２１はその内周面をガイド２２の内周面より大径として（肉抜きして）軽量化している。
【００２０】
ガイド２２も、受口内面奥壁１１ｂより奥の管路内周面１１ｃに至って心出しを行ない得れば、円筒状に限らずに任意の形状を選択することができる。例えば、図４（ａ）に示す、その円筒状において周方向に分割されたガイド片２２ａからなるものとすることができる。そのガイド片２２ａの断面形状、断面幅や相互間隔は任意である。また、図４（ｂ）に示すように、棒状ガイド片２２ｂとすることができる。その棒状ガイド片２２ｂの断面も、四角状、円状等が考えられる。
さらに、図５に示すように、ガイド２２はライナ本体２１と別部材としてその円筒状鍔部２２ｄをライナ本体２１に嵌めることによって設けることもできる。その鍔部２２ｄの嵌め込み面はライナ本体２１の外周面（図５）でも内周面でも良い。このとき、上記のように、ガイド２２はガイド片２２ａやガイド棒２２ｂとし得る。
【００２１】
上記何れのガイド２２、ガイド片２２ａ及びガイド棒２２ｂは、その長さ（図１において左右方向長さ）は直管状内周面１１ｃの軸方向長さ以内であって心出しが行い得る長さ以上とすることは勿論であり、その先端縁をＲカット２２ｃ又はＣカットすれば、そのガイド２２等の直管状内周面１１ｃへの差し込みが円滑となる（各図参照）。
ライナ２０（ライナ本体２１、ガイド２２）の材質は、ダクタイル鋳鉄に限らず、ステンレス鋼、樹脂成型品等の種々のものを採用することができる。鍔２２ｄ付ガイド２０はライナ本体２１と同一材質でも良いが、別材質、例えば、ライナ本体２１がダクタイル鋳鉄の場合、ステンレス鋼や樹脂成型品とし得る。
【００２２】
この発明に係るガイド２２付きのライナ２０は、実施形態の継手に限らず、ＮＳ形継手、ＳＩＩ形継手やＳ継手等の各種の管継手において使用し得ることは勿論である。
【符号の説明】
【００２３】
１１  一方の管（異形管）
１１ａ  一方の管の受口
１１ｂ  同受口の奥壁
１１ｃ  受口内面奥壁１１ｂより奥の直管状内周面
１２  ロックリング
１３  他方の管（直管）
１３ａ  他方の管の挿し口
１５  シール用ゴム輪
１６  押し輪
１７  Ｔ字ボルト・ナット
１８  心出し用ゴム
１９、２０  ライナ
２１  ライナ本体
２２  ガイド
２２ａ  ガイド片
２２ｂ  ガイド棒
２２ｄ  ガイド鍔
２３  緩衝材
【図１】
2015021606.tif 000003
【図２】
2015021606.tif 000004
【図３】
2015021606.tif 000005
【図４】
2015021606.tif 000006
【図５】
2015021606.tif 000007
【図６】
2015021606.tif 000008
【図７】
2015021606.tif 000009
【図８】
2015021606.tif 000010